【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
撮像部と、前記撮像部からのＲａｗデータを記憶する記憶部と、この記憶部からＲａｗデータを無線出力する出力手段とを持つデジタルカメラ、および前記Ｒａｗデータを入力する入力手段と、入力したＲａｗデータを補間してデジタル画像信号を作成する補間手段と、前記補間手段からデジタル画像信号を記憶する記憶手段とを持つ画像蓄積装置を有することを特徴とするデジタルカメラシステム。
【請求項２】
前記画像蓄積装置の前記入力手段は、インターネットを通じて前記Ｒａｗデータを入力することを特徴とする請求項１記載のデジタルカメラシステム。
【請求項３】
前記画像蓄積装置は、複数の補間手段を備えるとともに、前記デジタルカメラを識別する識別手段を有し、識別されたデジタルカメラに適合する前記補間手段により補間を行うことを特徴とする請求項１または２に記載のデジタルカメラシステム。
【請求項４】
前記画像蓄積装置は、複数の補間手段を備えるとともに、前記デジタルカメラから入力される情報に基き適合する前記補間手段を選択して補間を行うことを特徴とする請求項１から３のいずれかに記載のデジタルカメラシステム。
【請求項５】
前記画像蓄積装置は、ホワイトバランス調整手段、輪郭強調手段、画像間引き手段の少なくとも一つを有することを特徴とする請求項１から４のいずれかに記載のデジタルカメラシステム。
【請求項６】
前記画像蓄積装置の記憶部は、前記補間されたデジタル画像信号を閲覧可能な状態に記憶することを特徴とする請求項１から５のいずれかに記載のデジタルカメラシステム。
【請求項７】
前記画像蓄積装置は、前記補間されたデジタル画像信号を圧縮する圧縮部をさらに有し、前記記憶部は前記圧縮されたデジタル画像信号を記憶する請求項１から５のいずれかに記載のデジタルカメラシステム。
【請求項８】
前記記憶部において、前記出力部から出力されたＲａｗデータに対応する部分を空き容量とすることを特徴とする請求項１から７のいずれかに記載のデジタルカメラシステム。
【請求項９】
前記画像蓄積装置は、前記補間手段からのデジタル画像信号を圧縮することなく前記圧縮画像信号と関連付けて記憶する第二の記憶手段を有することを特徴とする請求項７に記載のデジタルカメラシステム。
【請求項１０】
デジタルカメラの撮像手段からのＲａｗデータを入力する入力手段と、入力したＲａｗデータを補間してデジタル画像信号を作成する補間手段と、補間されたデジタル画像信号を閲覧可能な状態に蓄積する蓄積手段とを有することを特徴とする画像蓄積装置。
【請求項１１】
前記デジタル画像信号を圧縮する圧縮部と、前記デジタル画像信号の表示手段と、表示されたデジタル画像信号に対応する圧縮画像信号を蓄積するか否かを指示する指示手段とを有し、前記蓄積手段は、前記指示手段によって指示された圧縮画像信号を蓄積することを特徴とする請求項１０に記載の画像蓄積装置。
【請求項１２】
複数の補間手段を備えるとともに、デジタルカメラを識別する識別手段を有し、識別されたデジタルカメラに適合する前記補間手段により補間を行うことを特徴とする請求項１０又は１１のいずれかに記載の画像蓄積装置。
【請求項１３】
複数の補間手段を備えるとともに、デジタルカメラから入力される情報に基き適合する前記補間手段により補間を行うことを特徴とする請求項１０又は１１若しくは１２のいずれかに記載の画像蓄積装置。
【請求項１４】
複数の補間手段を備えるとともに、前記蓄積手段は、前記複数の補間手段のいずれによって補間が行われるかにかかわらず、前記圧縮画像信号を蓄積することを特徴とする請求項１１に記載の画像蓄積装置。
【請求項１５】
ホワイトバランス調整手段、輪郭強調手段、画像間引き手段の少なくとも一つを有することを特徴とする請求項１０から１４のいずれかに記載の画像蓄積装置。
【請求項１６】
前記補間手段からのデジタル画像信号を圧縮することなく前記圧縮画像信号と関連付けて記憶する第二の記憶手段を有することを特徴とする請求項１１又は１４に記載の画像蓄積装置。
【請求項１７】
前記補間手段は補間に必要な情報をデジタルカメラから入力することを特徴とする請求項１０から１５のいずれかに記載の画像蓄積装置。
【請求項１８】
コンピュータに、請求項１から１７のいずれかに記載の機能を実現させるプログラム。
【請求項１９】
撮像部と、前記撮像部からのＲａｗデータを複数画像分にわたって記憶する記憶部と、前記記憶部からの前記Ｒａｗデータおよび前記Ｒａｗデータの補間に必要な情報を特定の画像蓄積装置に出力する出力手段とを有することを特徴とするデジタルカメラ。
【請求項２０】
撮像部と、前記撮像部からのＲａｗデータを複数画像分にわたって記憶する記憶部と、前記記憶部からの前記Ｒａｗデータおよび汎用画像ファイル作成に必要な情報を特定の画像蓄積装置に出力する出力手段とを有することを特徴とするデジタルカメラ。
【請求項２１】
前記記憶部において、前記出力部から出力されたＲａｗデータに対応する部分を空き容量とすることを特徴とする請求項１９または２０に記載のデジタルカメラ。
【請求項２２】
撮像部と、前記撮像部からのＲａｗデータを記憶する記憶部と、この記憶部からＲａｗデータを無線出力する出力手段とを持つデジタルカメラ、および前記Ｒａｗデータが入力されるコンピュータに、前記Ｒａｗデータを補間してデジタル画像信号を作成する補間機能と、前記補間機能によって作成されたデジタル画像信号の記憶を制御する記憶制御機能とを実現させるプログラムを有することを特徴とするデジタルカメラシステム。
【請求項２３】
撮像部と、前記撮像部からのＲａｗデータを記憶する記憶部と、この記憶部からＲａｗデータを無線出力する出力手段とを持つデジタルカメラ、および前記Ｒａｗデータを補間してデジタル画像信号を作成する補間機能と、前記補間機能によって作成されたデジタル画像信号の記憶を制御する記憶制御機能とを実現させるコンピュータプログラムを格納した記憶媒体を有することを特徴とするデジタルカメラシステム。
【請求項２４】
前記記憶制御機能は、前記デジタル画像信号を閲覧可能な状態に記憶するように制御することを特徴とする請求項２２、２３のいずれかに記載のデジタルカメラシステム。
【請求項２５】
撮像部と、着脱可能な記憶媒体を装着する装着部と、前記撮像部からのＲａｗデータを前記装着部から前記記憶媒体に記憶させる記憶制御手段とを有し、前記記憶制御手段は、前記Ｒａｗデータとともに前記Ｒａｗデータの補間に必要な情報を前記記憶媒体に記憶させることを特徴とするデジタルカメラ。
【請求項２６】
前記記憶制御手段は、前記Ｒａｗデータとともに汎用画像ファイル作成に必要な情報を前記記憶媒体に記憶させることを特徴とする請求項２５に記載のデジタルカメラ。
【請求項２７】
複数の画像入力管理手段と、入力される情報に基づき適合する画像入力管理手段により画像入力を実行する画像入力実行手段と、前記複数の画像入力管理手段のいずれによって画像入力が実行されるかにかかわらず、入力された画像を蓄積する蓄積手段を有すること特徴とする画像蓄積装置。
【請求項２８】
デジタルカメラの撮像手段からのＲａｗデータを入力する入力手段と、入力したＲａｗデータを補間してデジタル画像信号を作成する補間手段と、前記デジタル画像信号の表示手段と、表示されたデジタル画像信号を蓄積するか否かを指示する指示手段と、前記指示手段によって指示された前記補間手段からのデジタル画像信号を圧縮する圧縮手段と、圧縮された圧縮画像信号を蓄積する蓄積手段とを有することを特徴とする画像蓄積装置。
【請求項２９】
暗号化された画像を入力する手段と、入力される情報に基づき適合する暗号解読手段により入力画像を解読する暗号解読手段と、解読された画像を蓄積する蓄積手段を有すること特徴とする画像蓄積装置。
【請求項３０】
前記暗号解読手段は、入力された信号に基づきデジタルカメラを識別し、識別されたデジタルカメラに適合する暗号解読手段により入力画像を解読すること特徴とする請求項２９記載の画像蓄積装置。
【請求項３１】
撮像部と、前記撮像部からの画像データを暗号化する暗号化手段と、暗号化された画像データをデジタルカメラの識別信号とともに出力する出力手段とを有することを特徴とするデジタルカメラ。